(57)【要約】【課題】本発明は表示パネルを提供する。【解決手段】本発明の表示パネルは、第一基板、第一基板に対向して設置されると共に表示領域及び周辺領域からなる第二基板、前記第一基板と前記第二基板との間に周設されると共に前記表示領域の外囲に対応するパッケージングユニット、及び周辺領域に設置されると共に第一基板に対向する頂上部をそれぞれ有する複数の突起ユニットを備える。また、パッケージングユニットはその長さ方向に沿う中心線を有し、中心線の両側から各０μｍから２００μｍの距離の区域内には突起ユニットが対応して設置され、且つ前記区域のユニットの面積において、頂上部の面積が合計でユニットの面積の１%から５%を占める。【選択図】図３
2015215597.tif 000002
【特許請求の範囲】
【請求項１】
第一基板と、
前記第一基板に対向して設置されると共に表示領域及び周辺領域からなる第二基板と、
前記第一基板と前記第二基板との間に周設され、前記表示領域の外囲に対応するパッケージングユニットと、
前記周辺領域に設置されると共に前記第一基板に対向する頂上部をそれぞれ有する複数の突起ユニットとを備え、
ここでは、前記パッケージングユニットはその長さ方向に沿う中心線を有し、前記中心線の両側から各０μｍから２００μｍの距離の区域内にはこれら前記突起ユニットが対応して設置され、且つ前記区域のユニットの面積において、これら前記頂上部の面積が合計で前記ユニットの面積の１%から５%を占めることを特徴とする表示パネル。
【請求項２】
前記中心線の両側の各５０μｍから２００μｍの距離の区域内にはこれら前記突起ユニットが対応して設置されることを特徴とする、請求項１記載の表示パネル。
【請求項３】
前記ユニットの面積は２５００μｍ２から４００００μｍ２の間であることを特徴とする、請求項１記載の表示パネル。
【請求項４】
前記パッケージングユニットの広さは８００μｍから１０００μｍの間であることを特徴とする、請求項１記載の表示パネル。
【請求項５】
前記パッケージングユニットは複数のスペーサーユニットを備え、前記第二基板の前記表示領域には配向膜が更に設けられ、且つこれら前記突起ユニットの高さは、前記配向膜の厚さより高くこれら前記スペーサーユニットの粒径より低いことを特徴とする、請求項１記載の表示パネル。
【請求項６】
これら前記スペーサーユニットは、それぞれ球状スペーサーユニット或いは柱状スペーサーユニットであることを特徴とする、請求項５記載の表示パネル。
【請求項７】
前記配向膜の厚さは０.０４μｍから０.２５μｍの間であることを特徴とする、請求項５記載の表示パネル。
【請求項８】
これら前記スペーサーユニットの粒径は２μｍから７μｍの間であることを特徴とする、請求項５記載の表示パネル。
【請求項９】
隣接する２つのこれら前記突起ユニットの間の距離はこれら前記スペーサーユニットの粒径より大きいことを特徴とする、請求項５記載の表示パネル。
【請求項１０】
これら前記突起ユニットの材料は、絶縁材料或いはフォトレジスト材料の何れか一つであることを特徴とする、請求項１記載の表示パネル。
【発明の詳細な説明】
【技術分野】
【０００１】
本発明は、基板に設置される突起ユニットによりベゼル幅を狭める目的を達成させる表示パネルに関する。
【背景技術】
【０００２】
表示器技術の不断の進歩に伴い、全ての装置が小型化、薄型化、軽量化等を目指して発展しており、故に現在市場で主流の表示器装置はブラウン管から液晶表示装置へと進化している。特に、液晶表示装置が応用される範囲は相当に広く、例えば、日常生活で使用される携帯電話、ノートパソコン、ビデオカメラ、カメラ、音楽プレーヤー、ＧＰＳ装置、テレビ等の表示装置があり、その大多数に液晶表示パネルが使用されている。
【０００３】
また、液晶表示パネルの輝度、コントラスト、色彩、可視角度は液晶表示装置の視覚効果を決定する主要な要素である。液晶表示装置の発展に伴い、現在主流な、または開発中のパネルは、ＴＮ型、垂直配向型(VA)、インプレイン・スイッチング型(IPS)等の方式に区分される。
【発明の概要】
【発明が解決しようとする課題】
【０００４】
しかしながら、前述した従来の表示パネル技術では、前述のどの型の表示パネルもベゼル幅を狭めて表示領域を最大化するのを目標に発展している。なお、よくある液晶表示パネル構造では、配向層により液晶の傾倒を補助させて、高速に明暗を転換させる目的を達成させている。しかし、ベゼル幅を狭める目的に符合させようとすると、配向層がシール材に重畳する場合があり、シール材が偏移、萎縮、或いは断絶される等して、表示パネルの歩留りが低下することがあった。
【０００５】
そこで、本発明者は上記の欠点が改善可能と考え、鋭意検討を重ねた結果、合理的設計で上記の課題を効果的に改善する本発明の表示パネルの提案に到った。
【０００６】
本発明は、このような従来の問題に鑑みてなされたものであり、その目的とすることろは、表示パネルを提供することにある。即ち、表示パネルのパッケージングユニットが配向膜に重畳するためにパッケージングユニットのシール材の偏移、萎縮、或いは断絶が発生する状況を改善させる。
【課題を解決するための手段】
【０００７】
上述した課題を解決し、上記目的を達成するための本発明に係る表示パネルは、第一基板と、前記第一基板に対向して設置されると共に表示領域及び周辺領域からなる第二基板と、前記第一基板と前記第二基板との間に周設され、前記表示領域の外囲に対応するパッケージングユニットと、前記第二基板の前記周辺領域に設置されると共に前記第一基板に対向する頂上部をそれぞれ有する複数の突起ユニットとを備え、ここでは、前記パッケージングユニットはその長さ方向に沿う中心線を有し、前記中心線の両側から各０μｍから２００μｍの距離の区域内にはこれら前記突起ユニットが対応して設置され、且つ前記区域のユニットの面積において、これら前記頂上部の面積が合計で前記ユニットの面積の１%から５%を占めることを特徴とする。
【０００８】
本発明の表示パネルにおいて、好ましくは、前記中心線の両側からそれぞれ５０μｍから２００μｍの距離の区域内には突起ユニットが対応して設置される。このほか、前述のユニットの面積は２、５００μｍ２から４０、０００μｍ２の間である。また、パッケージングユニットの広さは８００μｍから１０００μｍの間である。なお、パッケージングユニットが突起ユニットを被覆する。
【０００９】
本発明の表示パネルにおいて、好ましくは、パッケージングユニットは複数のスペーサーユニットを備え、第二基板の表示領域には配向膜が更に設けられ、且つ突起ユニットの高さは配向膜の厚さより高くスペーサーユニットの粒径より低い。また、配向膜の厚さは０．０４μｍから０．２５μｍの間である。スペーサーユニットの粒径は２μｍから７μｍの間である。よって、突起ユニットの高さは、好ましくは０．２μｍから７μｍの間である。
【００１０】
本発明の表示パネルにおいて、好ましくは、隣接する２つの突起ユニットの間の距離はスペーサーユニットの粒径より大きい。好ましくは、隣接する２つの突起ユニット間の距離は２μｍ以上である。
【００１１】
本発明の表示パネルにおいて、好ましくは、スペーサーユニットは球状或いは柱状のスペーサーユニットである。スペーサーユニットが柱状である場合、粒径とは柱状のユニットの横断面の直径を指す。
【００１２】
本発明の表示パネルにおいて、好ましくは、第一基板及び第二基板の何れか一つの上方には薄膜トランジスタユニットの基板が設置され、もう一方の上方にはカラーフィルターユニットの基板が設置される。もしくは、第一基板及び第二基板の何れか一つの上方には薄膜トランジスタユニット及びカラーフィルターユニットの基板が共に設置される。
【００１３】
本発明の表示パネルにおいて、好ましくは、突起ユニットの材料には特殊な制限はなく、絶縁材料或いはフォトレジスト材料の何れか一つである。
【発明の効果】
【００１４】
本発明によれば、表示パネルのベゼル幅を狭める目的の達成が得られる。
【図面の簡単な説明】
【００１５】
【図１】本発明の第１実施形態による表示パネルを示す概念図である。
【図２】本発明の第１実施形態による表示パネルを示す断面図である。
【図３】本発明の第１実施形態による表示パネルの一部を示す概念図である。
【図４Ａ】本発明の第１実施形態による表示パネルの一部を示す断面の概念図である。
【図４Ｂ】本発明の表示パネルの突起ユニットを示す断面の概念図である。
【図４Ｃ】本発明の表示パネルの突起ユニットを示す断面の概念図である。
【図５】本発明の第１実施形態による表示パネルの一部を示す概念図である。
【図６】本発明の他の実施形態による表示パネルの一部を示す断面の概念図である。
【図７】本発明のさらなる他の実施形態による表示パネルを示す概念図である。
【発明を実施するための形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
＜第１実施形態＞
【００１７】
以下、本発明の具体的な実施形態について添付図面に基づき説明する。図１は本発明の表示パネルを示す上面図であり、図２は本発明の表示パネルを示す断面の概念図である。図２に示すように、本実施形態に係る表示パネルの製造方法は、第一基板１１及び第二基板１２を提供する工程、及びパッケージングユニット１３に第一基板１１及び第二基板１２を装設する工程を含む。これにより、本実施形態の表示パネルは、第一基板１１、前記第一基板１１に対向して設置されると共に表示領域Ａ及び周辺領域Ｂからなる第二基板１２、及び第一基板１１と第二基板１２との間に周設されると共に第二基板１２の表示領域Ａの外囲に対応するパッケージングユニット１３を備える。
【００１８】
本発明の好ましい実施形態では、第一基板１１と第二基板１２との間に形成される空間には液晶材料が更に充填され、液晶表示パネルとして使用される。また、第一基板１１及び第二基板１２の何れか一つは、上方に薄膜トランジスタユニットが設置される薄膜トランジスタ基板であり、もう一方はカラーフィルターユニット及び黒色マトリックスを具備するカラーフィルター基板である。或いは、第一基板１１及び第二基板１２の何れか一つは、上方に薄膜トランジスタユニット及びカラーフィルターユニットが設置されるカラーフィルター・オン・アレイ(COA)基板であり、もう一方は黒色マトリックスが形成される基板である。このほか、本発明の他の実施形態では、第二基板１２に有機発光ユニットが設置される有機発光ダイオード表示パネルでもよい。前述の第一基板１１及び第二基板１２については、本技術分野で普及する液晶表示装置ないしは有機発光ダイオード装置の基板構造を有するため、再述は省略する。
【００１９】
図３は図１に示す区域Ｒを示す概念図である。図４Ａは図１の線Ｌ１―Ｌ２断面線に沿ってなる断面の概念図である。なお、図３及び図４Ａに示すように、本実施形態に係る表示パネルは、第二基板１１の周辺領域Ｂに設けられると共に第一基板(図示せず)に対向する頂上部１２１ａをそれぞれ有する複数の突起ユニット１２１を更に備える。本実施形態に係る表示パネルの製造過程において、パッケージングユニット１３には中心線１３ａに沿ってシール材が塗布され、突起ユニット１２１が中心線１３ａの両側からそれぞれ０μｍから２００μｍの距離の区域内に設置される。また、パッケージングユニット１３の広さＤ１は８００μｍから１０００μｍの間である。なお、突起ユニット１２１が設置される前述の区域のユニットの面積において、突起ユニット１２１の頂上部１２１ａの面積が合計で前記ユニットの面積の１%から５%を占める。パッケージングユニット１３の塗布、及び第一基板１１と第二基板１２との装設を経た後、本実施形態に係る表示パネルが完成する。このように、本発明に係る突起ユニット１２１が設置され、且つ突起ユニット１２１の頂上部１２１ａの面積が合計で前記ユニットの面積の１%から５%を占めることで、シール材が偏移、萎縮、或いは断絶するのを有効的に防止させる。
【００２０】
なお、本実施形態の表示パネルでは（図３参照）、パッケージングユニット１３はその長さ方向に沿う中心線１３ａを有し、中心線１３ａの両側からそれぞれ０μｍから２００μｍの距離の区域内にはこれら前記突起ユニット１２１が対応して設置される。さらに具体的には、パッケージングユニット１３の中心線１３ａの両側からそれぞれ０μｍから２００μｍの距離Ｄ２１及び距離Ｄ２２に形成される区域内にこれら前記突起ユニット１２１が対応して設置される。好ましくは、パッケージングユニット１３の中心線１３ａの両側からそれぞれ５０μｍから２００μｍの距離Ｄ２１及び距離Ｄ２２に形成される区域内にこれら前記突起ユニット１２１が対応して設置される。より好ましくは、パッケージングユニット１３の中心線１３ａの両側からそれぞれ１３０μｍから１８０μｍの距離Ｄ２１及び距離Ｄ２２に形成される区域内にこれら前記突起ユニット１２１が対応して設置される。更に好ましくは、パッケージングユニット１３の中心線１３ａの両側からそれぞれ約１５０μｍの距離Ｄ２１及び距離Ｄ２２に形成される区域内にこれら前記突起ユニット１２１が対応して設置される。
【００２１】
また、本実施形態の表示パネルでは（図３及び図４Ａ参照）、突起ユニット１２１が設置される前述の区域のユニットの面積において、突起ユニット１２１の頂上部１２１ａの面積が合計で前記ユニットの面積の１%から５%を占める。ここでは、ユニットの面積は２，５００μｍ２(５０μｍ×５０μｍ)から４０，０００μｍ２(２００μｍ  x  ２００μｍ)の範囲内である。本実施形態によると、突起ユニット１２１の断面は台形である。図４Ｂは図４Ａの突起ユニット１２１の拡大図であり、突起ユニット１２１の断面は台形であり、頂上部の面積は上底(頂上部１２１ａ)の面積である。然しながら、本発明ではこれに制限されず、突起ユニット１２１の断面は他の形状でもよく、例えば長方形や正方形等の突起ユニット１２１の第一基板(図示せず)に対向する頂上部１２１ａの総面積が前述の範囲であればよい。さらに、図４Ｃは本発明の他の実施形態の突起ユニット１２１を示す断面の概念図である。突起ユニット１２１の断面は弧状である。これにより、突起ユニット１２１が高さＨを有し、頂上部１２１ａの面積は高さＨの９０%(即ち、高さＨ’)の場合に形成される断面の断面積となる。
【００２２】
好ましい本実施形態では、図４Ａに示すように、パッケージングユニット１３は複数のスペーサーユニット１３１を備える。スペーサーユニット１３１が設置されることで第一基板１１と第二基板１２との間の距離が維持される。ここでは、スペーサーユニット１３１はそれぞれ球状或いは柱状である。スペーサーユニット１３１が球状である場合、粒径ｒを有し、スペーサーユニット１３１が柱状の場合、粒径とは柱状ユニットの横断面の直径を指す。
【００２３】
なお、本実施形態の表示パネルでは（図３及び図４Ａ参照）、隣接する２つの突起ユニット１２１の間の距離Dはスペーサーユニット１３１の粒径ｒより大きい。一般的には、常用されるスペーサーユニット１３１の粒径ｒは２μｍから７μｍの間である。故に、本実施形態では、隣接する２つの突起ユニット１２１の間の距離Dは２μｍ以上であり、これにより使用されるスペーサーユニット１３１の粒径ｒが決定される。
【００２４】
さらに、本実施形態の表示パネルでは、突起ユニット１２１の高さＨはスペーサーユニット１３１の粒径ｒより低い。一般的には、常用されるスペーサーユニット１３１の粒径ｒは２μｍから７μｍの間である。故に、本実施形態では、突起ユニット１２１の高さＨは２μｍから７μｍより低く、これにより使用されるスペーサーユニット１３１の粒径ｒが決定される。
【００２５】
本実施形態に係る表示パネルが液晶表示パネル(特に、垂直配向型(Vertical  Alignment、VA)液晶表示パネル)である場合、第二基板１２には配向膜が更に設けられる（図５参照）。一般的には、配向膜１２２は、例えば図１に示すように、表示領域Ａに設置される。しかしながら、表示領域Ａの最大化及び周辺領域Ｂのベゼル幅を狭める目的を達成させるため、配向膜１２２が周辺領域Ｂに形成されてもよい（図５参照）。一般的には、パッケージングユニット１３が配向膜に直接設置されるか配向膜に部分的に重畳する場合、配向膜がパッケージングユニット１３の偏移、萎縮、或いは断絶を引き起こすことになり、表示パネルの歩留りの低下を招く。しかしながら、本実施形態では、第二基板１１の周辺領域Ｂに突起ユニット１２１が設置され（図５参照）、パッケージングユニット１３を周辺領域Ｂの位置に固定させるため、パッケージングユニット１３の偏移、萎縮、或いは断絶を改善させ、従来の製品のパッケージングユニット１３(シール材)が配向膜１２２を被覆できないという制限を突破し、ベゼル幅を狭める目的を達成させて基板の利用効率を高める。
【００２６】
好ましい本実施形態では、パッケージングユニット１３が配向膜１２２を被覆する際に偏移、萎縮、或いは断絶が起こらないようにするため、突起ユニット１２１の高さＨが配向膜１２２の厚さＴより高くなる（図５参照）。一般的には、配向膜１２２の厚さＴは０．０４μｍから０．２５μｍの間である。故に、突起ユニット１２１の高さＨは０．０４μｍから０．２５μｍより高く、これにより使用される配向膜１２２の厚さＴも決定される。
【００２７】
図６は本発明の他の実施形態による表示パネルの一部を示す断面の概念図である。そして、本発明の他の実施形態による表示パネルは前述の実施形態の表示パネルと同じであるが、前述の実施形態に係る表示パネルの突起ユニット１２１は不規則に配列されるが（図５参照）、本発明の好ましい他の実施形態では、表示パネルの突起ユニット１２１は規則的に配列される（図６参照）。
【００２８】
図７は本発明のさらなる他の実施形態による表示パネルを示す概念図である。なお、本発明のさらなる他の実施形態による表示パネルは、前述の実施形態の表示パネルと同様であるが、前述の実施形態に係る表示パネルは方形の表示パネルであるが、本発明に係る更なる他の好ましい実施形態による表示パネルは円弧形のベゼルを有する表示パネルである。
【００２９】
前述の全ての実施形態の表示パネルは、突起ユニットの形成に特別な制限はなく、絶縁材料及び絶縁層を使用して形成され、フォトレジスト材料及びカラーフィルターユニットを用いて形成され、或いはフォトスペーサー(photo  spacer、  PS)を使用して形成される。然しながら、本発明はこれらに制限されない。
【００３０】
また、本発明の前述の実施形態で製造される表示パネルは、本技術分野で既知のあらゆる表示スクリーンが必要な電子装置に応用可能であり、例えば表示器、携帯電話、ノートパソコン、ビデオカメラ、カメラ、音楽プレーヤー、ＧＰＳ装置、テレビ等に応用できる。
【００３１】
以上、本発明の実施形態について図面を参照して詳述したが、具体的な構成はこの実施形態に限られるものではなく、本発明の要旨を逸脱しない範囲の設計変更等も含まれる。
【符号の説明】
【００３２】
１１  第一基板
１２  第二基板
１２１  突起ユニット
１２１ａ  頂上部
１２２  配向膜
１３  パッケージングユニット
１３ａ  中心線
１３１  スペーサーユニット
Ａ  表示領域
Ｂ  周辺領域
Ｄ  距離
Ｄ１  広さ
Ｄ２１  広さ
Ｄ２２  広さ
Ｈ  高さ
Ｈ’  高さ
Ｌ１−Ｌ２  断面線
Ｒ区域
r粒径
Ｔ厚さ
【図１】
2015215597.tif 000003
【図２】
2015215597.tif 000004
【図３】
2015215597.tif 000005
【図４Ａ】
2015215597.tif 000006
【図４Ｂ】
2015215597.tif 000007
【図４Ｃ】
2015215597.tif 000008
【図５】
2015215597.tif 000009
【図６】
2015215597.tif 000010
【図７】
2015215597.tif 000011